(57)【要約】      （修正有）【課題】スズメバチは、益虫でもあるが住宅地等に生息する場合、人に危害を加える可能性もあるので駆除する必要がある。スズメバチの駆除は費用もかかり容易ではないが、本発明はスズメバチを自然におびき寄せ人手を使わず駆除できるもので有用性がある。【解決手段】任意の素材および任意の形状および任意の大きさで、侵入孔および捕獲孔および釣り紐４を有する捕獲器本体１が形成され、任意の素材および任意の形状および任意の大きさで形成され、その内部に誘引剤３が任意の量充填された捕獲容器２に接続手段によって接続された構造からなるスズメバチ捕獲器。【選択図】図１
2020005590.tif 000002
【特許請求の範囲】
【請求項１】
任意の素材および任意の形状および任意の大きさで、侵入孔および捕獲孔および釣り紐を有する捕獲器本体が形成され、任意の素材および任意の形状および任意の大きさで形成され、その内部に誘引剤が任意の量充填された捕獲容器に接続手段によって接続された構造からなるスズメバチ捕獲器。
【請求項２】
捕獲器本体の形状が、円錐形を含む形状であることを特長とした請求項１におけるスズメバチ捕獲器。
【請求項３】
誘引剤の組成が、清酒１．０に対して、砂糖１．０、酢０．６である請求項１および請求項２におけるスズメバチ捕獲器。
【請求項４】
捕獲器本体が、２個以上、任意の数設けられた請求項１および請求項２および請求項３におけるスズメバチ捕獲器。
【請求項５】
毛細管現象により液体を吸い上げることができる素材で形成された誘引紐を設けた構造からなる請求項１および請求項２および請求項３および請求項４におけるスズメバチ捕獲器。
【請求項６】
任意の素材および任意の形状および任意の大きさで形成され、その内部に誘引剤が充填された捕獲容器に、任意の素材および任意の形状および任意の大きさで形成された１個以上の侵入孔が設けられ、捕獲容器の蓋に釣り紐が設けられた構造からなるスズメバチ捕獲器。
【請求項７】
任意の素材および任意の形状および任意の大きさで形成された取っ手に、任意の素材および任意の形状および任意の大きさで形成された基板が接続手段によって接続され、この基板上に任意の素材および任意の大きさで形成され、H型またはX型の切込を形成できる形状の切込刃が設けられた構造からなる切込器具。
【発明の詳細な説明】
【技術分野】
【０００１】
本発明は、スズメバチ捕獲器に関するものである。
【背景技術】
【０００２】
これまでいくつかのスズメバチ捕獲器に関する考案が公開されている。
【先行技術文献】
【特許文献】
【０００３】
【特許文献１】特許公開２００４−１０５０９２
【特許文献２】特許公開２００７−３０６８２３
【非特許文献】
【０００４】
【非特許文献１】登録実用新案第３０２６９７１号
【発明の概要】
【発明が解決しようとする課題】
【０００５】
スズメバチは、益虫でもあるが住宅地等に生息する場合、人に危害を加える可能性もあるので駆除する必要がある。スズメバチの駆除は費用もかかり容易ではないが、本発明はスズメバチを自然におびき寄せ人手を使わず駆除できるもので有用性がある。
【課題を解決するための手段】
【０００６】
任意の素材および任意の形状および任意の大きさで、侵入孔および捕獲孔および釣り紐を有する捕獲器本体が形成され、任意の素材および任意の形状および任意の大きさで形成され、その内部に誘引剤が任意の量充填された捕獲容器に接続手段によって接続された構造からなるスズメバチ捕獲器。
【発明の効果】
【０００７】
本発明により、スズメバチを自然におびき寄せ人手を使わず駆除できる。
【図面の簡単な説明】
【０００８】
【図１】本発明の外観斜視図
【図２】本発明の外観斜視図
【図３】本発明の分解斜視図
【図４】本発明の部分分解斜視図
【図５】本発明の外観斜視図
【図６】本発明の別の実施例を示す外観斜視図
【図７】本発明の別の実施例を示す外観斜視図
【図８】図７の１部分解斜視図
【図９】本発明の別の実施例を示す外観斜視図
【図１０】本発明の別の実施例を示す外観斜視図
【図１１】図１０を別の表現で描いた図
【図１２】図１１の上面図
【図１３】本発明の別の実施例を示す外観斜視図
【図１４】図１３を別の表現で描いた図
【図１５】図１４の部分分解図
【図１６】本発明の別の実施例を示す外観斜視図
【図１７】本発明の別の実施例を示す外観斜視図
【図１８】図１７の本発明を作るのに使用する器具の外観斜視図
【図１９】図１７の本発明を示す部分拡大図
【図２０】本発明の別の実施例を示す外観斜視図
【図２１】図２０の本発明を作るのに使用する器具の外観斜視図
【図２２】図２１の部分分解斜視図
【発明を実施するための形態】
【０００９】
本発明は、捕獲器本体（１）および捕獲容器（２）および誘引剤（３）および釣り紐（４）からなっている。捕獲器本体（１）には、捕獲孔（６）および侵入孔（７）が設けられている。捕獲器本体（１）および捕獲容器（２）は、任意の素材および任意の形状および任意の大きさで製造することができる。利用できる素材としては、各種プラスチックや各種金属、その他の素材などがある。釣り紐（４）は、任意の素材および任意の大きさで製造することができる。利用できる素材としては、各種プラスチックや布、その他の素材などがある。誘引剤（３）は液体であることが必要で、粉末状でも水などに溶いて液体になれば良い。液体の誘引剤（３）は、捕獲容器（２）の中に任意の量が充填されてスズメバチを誘引して捕獲するのに利用される。誘引剤（３）を誘引紐（１１）の毛細管現象を利用して吸い上げ、スズメバチをおびき寄せるのに利用しても良い。この場合、誘引紐（１１）は、液体の誘引剤（３）を毛細管現象により吸い上げることができる素材が望ましく、捕獲容器（２）の底に届くまでの長さが必要である。捕獲器本体（１）は、任意の形状が可能であるが、下部が円錐形の形状がより望ましく、中心部に捕獲孔（６）が設けられ、側面に侵入孔（７）が設けられている。この状態は、図３で確認できる。捕獲器本体（１）は、プラスチックを用いた射出成型等によっても造ることもできる。捕獲孔（６）の内側には、メスネジ（８）が設けられており、捕獲容器（２）に設けられたオスネジ（９）に嵌合して接続することができる。捕獲孔（６）を市販のペットボトルの口に合うように製造した場合には、市販のペットボトルを捕獲容器（２）として使用することができる。捕獲器本体（１）と捕獲容器（２）との接続は、ネジ式に限らない。例えば、はめ込み式でも良いし、その他の接続手段による方法も考えられる。ただ、ネジ式が一般的であり、便利であろう。捕獲器本体（１）には、釣り紐（４）が設けられており、本発明をこの釣り紐（４）によって木の枝などに取り付けることができる。図３では、捕獲器本体（１）が上部と下部に分解されて示されているが、この釣り紐（４）は、図３で示すように捕獲器本体（１）の上部に設けられた２個の穴（５）に取り付けられている。この穴（５）は、１個以上であれば任意の数で良く、３個でも、４個でも、またそれ以上でもよい。大きさは任意である。図１では、釣り紐（４）は両端が２個の穴（５）に取り付けられ繋がっているが、釣り紐（４）がそれぞれの穴（５）に取り付けられて、繋がっていなくても良い。これは各実施例でも同様である。１個でも釣り紐（４）を取り付けることができるが、２個以上の方がバランスが良いのでより適切である。釣り紐（４）は、本発明全体を木などに釣り下げて取り付けるものであるが、釣り紐（４）を設けなくても、地面やその他の場所に置くことでも本発明の目的を達成することができる。捕獲器本体（１）には、任意の位置に侵入孔（７）が任意の大きさで任意の数だけ設けられている。図３では、これが４個設けられていることが分かる。誘引剤（３）から発する香りなどによって、捕獲器本体（１）に近づいてきたスズメバチは、侵入孔（７）から捕獲器本体（１）に入り、更に誘引剤（３）を求めて捕獲孔（６）を通り抜ける。一度、ここを通り抜け捕獲容器（２）に入ったスズメバチは、もはや外には戻れなくなり、捕獲容器（２）の中に閉じ込められる。こうして、スズメバチを捕獲し、駆除を行うことが可能となる。捕獲器本体（１）の下部の形状が円錐形の場合には、中心部が窪んだすり鉢状をしており、蟻地獄の巣穴に似ている。捕獲したスズメバチは、捕獲容器（２）より捕獲器本体（１）を取り外して取り出す。これは他の実施例でも同様である。これまで、種々、スズメバチを有効に捕獲できる誘引剤（３）を検討した。この結果は、容積比または重量比で、清酒１．０に対して、砂糖１．０、酢０．６がベストであった。清酒、砂糖、酢は、一般的に市販されているものを含む。清酒は種類によりアルコール度数が異なる。多くの日本酒は、アルコール度数が１５％前後であるが、中には２０％に近いものもある。酒税法上では、清酒はアルコール度数が２２％未満となっている。ちなみに、他のアルコール飲料のアルコール度数は、ビール５％前後、シャンパン１１％前後、ワイン１５％前後、焼酎２０〜２５％前後、ウィスキー４０％前後、ウォッカ４０％前後、テキーラ４０％前後などとなっている。清酒のかわりに、これらを使用しても効果があるかも知れない。砂糖は、甘味料の１種であるが、甘味料にも多くの種類がある。甘味料としては、アスパルテーム、アセスルファムカリウム、グリチルリチン、カンゾウ抽出物、キシリトール、サッカリンナトリウム、スクラロース、ソーマチン、ステビア抽出物、ソルビトール、ラカンカ抽出物、マルチトール、フラクトオリゴ糖、カップリングシュガー、パラチノース、砂糖、グラニュー糖、等があり、甘味を付与する原料であればこの用途に使用できる可能性がある。酢は、３〜５％の酢酸を含む酸性調味料である。酢酸以外に各種の有機酸、アミノ酸、糖、香気成分を含み、好ましい芳香とうまみをもつ。食酢は、醸造酢と合成酢に大別できる。日本では、米を原料とした米酢、酒粕酢が多く、欧米では果実、ビール、麦芽汁、ワイン、果実酒などを原料としてつくるビネガー（洋酢）あるいはアルコールを原料とする酒精酢が多い。これまでの検討では、一般的な米酢を加えると、スズメバチを誘う確率が高い。本発明の各部品は中が見える透明性のものでも良いし、不透明のものでも良いが、捕獲実績が見えることから、透明性のものが良いであろう。図５は、本発明の商品形態を示している。釣り紐（４）が設けられた捕獲器本体（１）と中に適量の誘引剤（３）が充填され、蓋（１０）で密閉された捕獲容器（２）をセットとして供給する。釣り紐（５）が設けられた捕獲器本体（１）と何らかの容器に入れた誘引剤（３）をセットとして供給し、捕獲容器（２）は市販のペットボトルを使用するようにすることもできる。この場合には、捕獲器本体（１）の捕獲孔（６）の内側に設けられたメスネジ（８）は、市販のペットボトルに嵌合できるように製造する必要がある。最近、森林が減ってきたこともあり、都会の住宅地にスズメバチが巣をつくる事例も増えている。スズメバチは益虫でもあるが、住宅地で人に危害を加える恐れもあり、住宅地では駆除する必要がある。スズメバチの中で、働き蜂の寿命はおおよそ２ヶ月、女王蜂は約１年となっている。女王蜂は秋に生まれて、春に産卵するため、この春の産卵前に女王蜂を駆除すれば、危険性を少なくすることができる。本発明は、自然の中に設置することにより、自然にスズメバチを駆除することができるものである。なを、本発明は誘引剤（３）の組成を変えれば、他の昆虫等の捕獲にも利用できる。このことは、以下で述べる各実施例についても同様である。
【実施例１】
【００１０】
図１は、本発明の外観斜視図である。図２は本発明を別の角度から見た図を示している。本発明は、捕獲器本体（１）および捕獲容器（２）および誘引剤（３）および釣り紐（４）からなっている。捕獲器本体（１）には、捕獲孔（６）および侵入孔（７）が設けられている。捕獲器本体（１）および捕獲容器（２）は、任意の素材および任意の大きさで製造することができる。利用できる素材としては、各種プラスチックや各種金属、その他の素材などがある。釣り紐（４）は、任意の素材および任意の大きさで製造することができる。利用できる素材としては、各種プラスチックや布、その他の素材などがある。誘引剤（３）は液体であることが必要で、粉末状でも水などに溶いて液体になれば良い。液体の誘引剤（３）は、捕獲容器（２）の中に任意の量が充填されてスズメバチを誘引して捕獲するのに利用される。図３は、本発明の分解図を示している。誘引剤（３）は便宜上、円柱形で示されているが、本来は液体である。図３では、捕獲器本体（１）が上部と下部に分解されて示されているが、捕獲器本体（１）の上部に設けられた２個の穴（５）に釣り紐（４）が取り付けられている。釣り紐（４）を使用して本発明を木の枝などに取り付けることができる。この釣り紐（４）は、２個の穴（５）に取り付けられているが、この穴（５）は、１個以上であれば任意の数で良く、３個でも、４個でも、またそれ以上でもよい。大きさは任意である。１個でも釣り紐（４）を取り付けることができるが、２個の方がバランスが良いのでより適切である。図１では、釣り紐（４）は両端が２個の穴（５）に取り付けられ繋がっているが、釣り紐（４）がそれぞれの穴（５）に取り付けられて、繋がっていなくても良い。また、この穴（５）を取り付ける位置は、捕獲器本体（１）の上部の任意の部分で良い。捕獲器本体（１）の下部は、円錐形の形状をしており中心部に捕獲孔（６）が設けられており、側面に侵入孔（７）が設けられている。侵入孔（７）の大きさおよび形状および数は任意である。この実施例では、４個の侵入孔（７）が捕獲器本体（１）の下部の円錐形状の側面に設けられている。捕獲器本体（１）は、プラスチックを用いた射出成型等によって造ることもできる。捕獲孔（６）の内側には、メスネジ（８）が設けられており、捕獲容器（２）に設けられたオスネジ（９）に嵌合して接続することができる。捕獲孔（６）を市販のペットボトルの口に合うように製造した場合には、市販のペットボトルを捕獲容器（２）として使用することができる。誘引剤（３）から発する香りなどによって、捕獲器本体（１）に近づいてきたスズメバチは、侵入孔（７）から捕獲器本体（１）に入り、更に誘引剤（３）を求めて捕獲孔（６）を通り抜ける。一度、ここを通り抜け捕獲容器（２）に入ったスズメバチは、もはや外には戻れなくなり、捕獲容器（２）の中に閉じ込められる。こうして、スズメバチを捕獲し、駆除を行うことが可能となる。捕獲器本体（１）の下部の形状が円錐形の場合には、中心部が窪んだすり鉢状をしており、蟻地獄の巣穴に似ている。捕獲したスズメバチは、捕獲容器（２）より捕獲器本体（１）を取り外して取り出す。これは他の実施例でも同様である。これまで、種々、スズメバチを有効に捕獲できる誘引剤（３）を検討した。この結果は、容積比または重量比で、清酒１．０に対して、砂糖１．０、酢０．６がベストであった。清酒、砂糖、酢は、一般的に市販されているものを含む。清酒は種類によりアルコール度数が異なる。多くの日本酒は、アルコール度数が１５％前後であるが、中には２０％に近いものもある。酒税法上では、清酒はアルコール度数が２２％未満となっている。ちなみに、他のアルコール飲料のアルコール度数は、ビール５％前後、シャンパン１１％前後、ワイン１５％前後、焼酎２０〜２５％前後、ウィスキー４０％前後、ウォッカ４０％前後、テキーラ４０％前後などとなっている。清酒のかわりに、これらを使用しても効果があるかも知れない。砂糖は、甘味料の１種であるが、甘味料にも多くの種類がある。甘味料としては、アスパルテーム、アセスルファムカリウム、グリチルリチン、カンゾウ抽出物、キシリトール、サッカリンナトリウム、スクラロース、ソーマチン、ステビア抽出物、ソルビトール、ラカンカ抽出物、マルチトール、フラクトオリゴ糖、カップリングシュガー、パラチノース、砂糖、グラニュー糖、等があり、甘味を付与する原料であればこの用途に使用できる可能性がある。酢は、３〜５％の酢酸を含む酸性調味料である。酢酸以外に各種の有機酸、アミノ酸、糖、香気成分を含み、好ましい芳香とうまみをもつ。食酢は、醸造酢と合成酢に大別できる。日本では、米を原料とした米酢、酒粕酢が多く、欧米では果実、ビール、麦芽汁、ワイン、果実酒などを原料としてつくるビネガー（洋酢）あるいはアルコールを原料とする酒精酢が多い。これまでの検討では、一般的な米酢を加えると、スズメバチを誘う確率が高い。本発明の各部品は中が見える透明性のものでも良いし、不透明のものでも良いが、捕獲実績が見えることから、透明性のものが良いであろう。図５は、本発明の商品形態を示している。釣り紐（４）が設けられた捕獲器本体（１）と中に適量の誘引剤（３）が充填され、蓋（１０）で密閉された捕獲容器（２）をセットとして供給する。釣り紐（４）が設けられた捕獲器本体（１）と何らかの容器に入れた誘引剤（３）をセットとして供給し、捕獲容器（２）は市販のペットボトルを使用するようにすることもできる。この場合には、捕獲器本体（１）の捕獲孔（６）の内側に設けられたメスネジ（８）は、市販のペットボトルに嵌合できるように製造する必要がある。最近、森林が減ってきたこともあり、都会の住宅地にスズメバチが巣をつくる事例も増えている。スズメバチは益虫でもあるが、住宅地で人に危害を加える恐れもあり、住宅地では駆除する必要がある。スズメバチの中で、働き蜂の寿命はおおよそ２ヶ月、女王蜂は約１年となっている。女王蜂は秋に生まれて、春に産卵するため、この春の産卵前に女王蜂を駆除すれば、危険性を少なくすることができる。本発明は、自然の中に設置することにより、自然にスズメバチを駆除することができるものである。なを、本発明は誘引剤（３）の組成を変えれば、他の昆虫等の捕獲にも利用できる。
【実施例２】
【００１１】
図６は、本発明の別の実施例を示している。この場合は、捕獲容器（２）の形状が広い円筒状の場合を示している。この場合は、安定性があるので、釣り紐（４）は無くして地面やその他の場所に置いても良い。この例の場合、捕獲容器（２）が大きいので、釣り紐（４）を設ける場合には、捕獲容器（２）に取り付けてもよいであろう。この例のように捕獲容器（２）の形状は自由につくることができる。
【実施例３】
【００１２】
図７は、本発明の別の実施例を示している。図８は、図７の一部を分解したものを示している。この実施例では、捕獲器本体（１）の下部の形状が円錐形ではなく、台形を組み合わせた形状をしている。この場合は、捕獲器本体（１）の下部の台形の形状の部分に４つの侵入孔（７）が設けられていることが分かる。この数は任意でいくつ設けても良い。この構造も本発明の目的を達成することができる。この例のように捕獲器本体（１）の形状は自由につくることができる。
【実施例４】
【００１３】
図９は、本発明の別の実施例を示している。この実施例では、捕獲器本体（１）が捕獲容器（２）に、２個設けられている例を示している。この様に、捕獲器本体（１）は、捕獲容器（２）に任意の数を設けることもできる。これでも本発明の目的を達成することができる。この実施例の場合、釣り紐（４）は設けても、設けなくても、どちらでも良いであろう。またこの例の場合、釣り紐（４）を設ける場合には、捕獲容器（２）に取り付けるのが適切であろう。
【実施例５】
【００１４】
図１０は、本発明の別の実施例を示している。この例では、捕獲容器（２）が任意の大きさの円筒形をしており、その側面に、４つの侵入孔（７）が設けられている。この侵入孔（７）の形状は、円錐状をしており、捕獲容器（２）の内部に通じている。図１１はこの例を図１０とは別の表現で描いたものであり、図１２は、図１１の上面図を示している。この実施例では、侵入孔（７）を通過したスズメバチは、そのまま直接に捕獲容器（２）の中に取り込まれる。捕獲容器（２）および侵入孔（７）の素材や大きさや形状は任意であり、侵入孔（７）の数も任意で、いくつ設けても良い。また、侵入孔（７）は捕獲容器（２）の側面のどの位置に設けても良い。捕獲容器（２）には、蓋（１０）が設けられ、この蓋（１０）の部分に穴（５）が設けられて、釣り紐（４）が取り付けられている。この構造でも、本発明の機能を有する。この実施例は、任意の素材および任意の形状および任意の大きさで形成され、その内部に誘引剤（３）が充填された捕獲容器（２）に、任意の素材および任意の形状および任意の大きさで形成された１個以上の侵入孔（７）が設けられ、捕獲容器（２）の蓋（１０）に釣り紐（４）が設けられた構造からなるスズメバチ捕獲器となる。
【実施例６】
【００１５】
図１３は、本発明の別の実施例を示している。この例では、侵入孔（７）の入り口の形状が四角形の場合を示している。この例では、４個設けられているが、この数は任意である。また大きさも任意であり、捕獲容器（２）の任意の部分に取り付けることができる。また、この例では捕獲容器（２）の形状が長い円筒形の場合を示しており、この上部にオスネジ（９）が設けられている。蓋（１０）にはメスネジ（８）が設けられており、これと篏合して接続される。捕獲容器（２）と蓋（１０）は、はめ込み式など、任意の接続手段で接続可能である。蓋（１０）には、２個の穴（５）が２個設けられており、ここに釣り紐（４）が取り付けられている。図１４は、この例を図１３とは別の表現で描いたものであり、図１５は、図１４の部分分解図を示している。
【実施例７】
【００１６】
図１６は、誘引紐（１１）を設けた例を示している。誘引紐（１１）は、液体の誘引剤（３）を毛細管現象により吸い上げることができる素材が望ましく、捕獲容器（２）の底に届くまでの長さが必要である。誘引紐（１１）は、これにより誘引剤（３）を吸い上げ、スズメバチを誘い込む働きをするものである。誘引紐（１１）は、捕獲器本体（１）の下部の任意の位置に任意の大きさの穴を開けて取り付けることができる。誘引紐（１１）は、複数の穴を開けて、複数設けても良い。これは捕獲器本体（１）を有するいずれの実施例にも利用できるものであるが、スズメバチは誘引剤（３）の匂いに敏感で、これが無くてもスズメバチを誘引することはできる。
【実施例８】
【００１７】
図１７は、本発明の別の実施例を示している。この場合は、図１８で示されているような形状の切込刃（１２）を有する器具を使い、市販のペットボトルなどに簡単に切り込みを入れて、実施例５または実施例６と類似の捕獲容器（２）を作る場合を示している。図１８で示す器具は、切込刃（１２）を有し、ペットボトルなどに切り込みを入れることから、金属やセラミックなどでつくることが望ましい。非常に硬いプラスチックなどでも使用できる可能性はある。切込刃（１２）は、溶接やその他の接続手段によって接続され、H型の形状で切り込みできる形状に作成される。図１８の器具の取っ手（１４）を持ち、ペットボトルなどの容器壁に押し当てて切り込みを入れ、折り曲げ可能な部分を手で容器壁の中に押し込んで曲げると、簡単に侵入孔（７）を有する本発明の捕獲容器（２）を作ることができる。この様子を、図１９で示した。この場合、侵入孔（７）の入口の形状は、四角形となる。この方法で、ペットボトルなどの容器壁の任意の位置に侵入孔（７）を必要な数だけ作成することができる。この後、ペットボトルの中に誘引剤（３）を入れて、ペットボトルの口などに釣り紐（４）を取り付ければ、本発明が完成する。図１８の器具は、取っ手（１４）に接続された基板（１３）上に、２枚の平行な切込刃（１２）とこれに垂直に配置された１枚の切込刃（１２）が設けられている。取っ手（１４）および基板（１３）は、任意の素材および任意の形状および任意の大きさでつくることができ、溶接や接着剤、その他の接続手段によって接続される。この器具は、刃物なのでカバーを付けて保管するなど、取り扱いには気を付けなければならない。図１８では、切込刃（１２）の形状は先が尖った鋭利な三角形をしている。この形状は楕円型なども可能で任意であるが、先が尖った鋭利な三角形の方が切込みし易い。また、大きさも任意で金属やセラミックなど、任意の素材で製造することができる。図１８は、取っ手（１４）に接続された基板（１３）上に、２枚の平行な切込刃（１２）とこれに垂直に配置された１枚の切込刃（１２）が設けられた構造からなる切込器具を示している。
【実施例９】
【００１８】
図２０は、本発明の別の実施例を示している。この場合は、実施例８と似ているが、切り込みの形がX型の場合を示している。この切り込みは、図２１で示すような形状の切込刃（１２）を有する器具を使用して作ることができる。この構造は、２枚の切込刃（１２）が上面から見た場合、十字にクロスして配置されており、図２２に図２１の部分分解斜視図で示しているとおりである。切込刃（１２）は、溶接やその他の接続手段によって接続され、X型の形状で切り込みできるように作成される。図２１で示す器具の取っ手（１４）を持ち、ペットボトルなどの容器壁にX型の切り込みを入れて、折り曲げ可能な部分を手で容器壁の中に押し込んで曲げると、簡単に侵入孔（７）を有する本発明の捕獲容器（２）を作ることができる。この場合、侵入孔（７）の入口の形状は、四角形となる。この方法で、ペットボトルなどの容器壁の任意の位置に侵入孔（７）を必要な数だけ作成することができる。この後、ペットボトルなどの中に誘引剤（３）を入れて、ペットボトルの口などに釣り紐（４）を取り付ければ、本発明が完成する。図２１の器具は、刃物なのでカバーを付けて保管するなど、取り扱いには気を付けなければならない。図２１では、切込刃（１２）の形状は先が尖った鋭利な三角形をしている。この形状は楕円型なども可能で任意であるが、先が尖った鋭利な三角形の方が切込みし易い。また、大きさも任意で金属やセラミックなど、任意の素材で製造することができる。図２１は、取っ手（１４）に接続された基板（１３）上に、上面から見た場合、２枚の切込刃（１２）が十字にクロスして配置された形状に設けられている。取っ手（１４）および基板（１３）は、任意の素材および任意の形状および任意の大きさでつくることができ、溶接や接着剤、その他の接続手段によって接続される。切込刃（１２）は、基板（１３）に溶接や接着剤、その他の接続手段によって接続される。更に、切込刃（１２）を増やすと、折り曲げ可能な部分が更に増えた構造の捕獲容器（２）を作ることができるが、目的は侵入孔（７）をつくることなので、X型で十分であろう。切込刃（１２）を、上面から見た場合、くの字型に配置すれば、くの字型の切り込みを入れることができる器具もつくることができる。この場合には、侵入孔（７）の入口の形状は、三角形の形状となる。
【産業上の利用可能性】
【００１９】
本発明は、工業的に量産することが可能であるため、産業上の利用可能性を有する。
【符号の説明】
【００２０】
１    捕獲器本体
２    捕獲容器
３    誘引剤
４    釣り紐
５    穴
６    捕獲孔
７    侵入孔
８    メスネジ
９    オスネジ
１０  蓋
１１  誘引紐
１２  切込刃  
１３  基板
１４  取っ手
【図１】
2020005590.tif 000003
【図２】
2020005590.tif 000004
【図３】
2020005590.tif 000005
【図４】
2020005590.tif 000006
【図５】
2020005590.tif 000007
【図６】
2020005590.tif 000008
【図７】
2020005590.tif 000009
【図８】
2020005590.tif 000010
【図９】
2020005590.tif 000011
【図１０】
2020005590.tif 000012
【図１１】
2020005590.tif 000013
【図１２】
2020005590.tif 000014
【図１３】
2020005590.tif 000015
【図１４】
2020005590.tif 000016
【図１５】
2020005590.tif 000017
【図１６】
2020005590.tif 000018
【図１７】
2020005590.tif 000019
【図１８】
2020005590.tif 000020
【図１９】
2020005590.tif 000021
【図２０】
2020005590.tif 000022
【図２１】
2020005590.tif 000023
【図２２】
2020005590.tif 000024